(57)【特許請求の範囲】
【請求項１】
基板に形成された複数の第１貫通孔に前記基板の一方の面側からそれぞれ挿入されて他方の面側から突出する、略矩形の断面を有する複数の角ピン端子と、それら各角ピン端子を装備するハウジングとを有する基板用コネクタであって、
前記他方の面側から突出した各角ピン端子の突出部分がそれぞれ挿入される複数の第２貫通孔を有するシュラウドを備え、
前記第２貫通孔が内壁上面、内壁下面、第１内壁側面、および、第２内壁側面によって構成され、
第１内壁側面および第２内壁側面がそれぞれ角ピン端子の一の側面とその反対側の側面に当接して角ピン端子を狭持するように第１内壁側面と第２内壁側面との間隔が設定され、
角ピン端子の上面または下面の少なくとも一方には、相手コネクタが有する接触片に電気的に接触する接触部が設けられ、
前記第２貫通孔には、角ピン端子に設けられた接触部が第２貫通孔の内壁上面または第２貫通孔の内壁下面に接触しないように第２貫通孔に対する角ピン端子の上下方向の移動を規制すると共に、角ピン端子の挿入方向を案内する角ピン端子案内部が設けられ、
前記角ピン端子案内部は、前記第１内壁側面の上端縁と第２内壁側面の上端縁とにそれぞれ連結されて内壁上面を構成する２つの傾斜面と、前記第１内壁側面の下端縁と第２内壁側面の下端縁とにそれぞれ連結されて内壁下面を構成する２つの傾斜面であって、前記角ピン端子を前記第２貫通孔に挿入する際に、前記角ピン端子の少なくとも前記接触部が前記傾斜面に接触しないで離間するように傾斜する、前記角ピン端子の挿入方向に沿って平行に延在する傾斜面とによって構成され、
前記第２貫通孔は、第１内壁側面と第２内壁側面と傾斜面で構成される内壁上面および内壁下面とにより形成される六角形の断面を有する、
基板用コネクタ。
【請求項２】
前記シュラウドは、前記相手コネクタが挿入される開口を有する請求項１に記載の基板用コネクタ。
【請求項３】
前記相手コネクタは、前記基板とは異なる第１基板に実装されているリセプタクルコネ
クタである請求項２に記載の基板用コネクタ。
【請求項４】
前記ハウジングは、前記角ピン端子に接触する接触片を有する他の相手コネクタが挿入される開口を有する請求項１または２に記載の基板用コネクタ。
【請求項５】
前記他の相手コネクタは、前記基板とは異なる第２基板に実装されているリセプタクルコネクタである請求項４に記載の基板用コネクタ。
【発明の詳細な説明】
【０００１】
【発明の属する技術分野】
本発明は、基板に形成された複数の貫通孔に前記基板の一方の面側からそれぞれ挿入されて他方の面側から突出する、略矩形の断面を有する複数の角ピン端子と、それら各角ピン端子を装備するハウジングとを有する基板用コネクタに関する。
【０００２】
【従来の技術】
従来、基板に形成された複数の貫通孔にその基板の一方の面側からそれぞれ挿入されて他方の面側から突出する、略矩形の断面を有する複数の角ピン端子を有するコネクタが知られている。他方の面側から突出した角ピン端子の突出部分はシュラウドなどの部材に形成された複数の貫通孔にそれぞれ圧入され、これによってコネクタが基板に固定される。
【０００３】
図５に示すように、シュラウドなどの部材に形成された貫通孔Ｈは、その断面である略矩形を構成する各辺の長さ寸法が角ピン端子Ｐの断面である略矩形を構成する各辺の長さ寸法よりも若干小さく設定されている。このため、角ピン端子Ｐは、その各側面（両側面Ｐ１、Ｐ２、上面Ｐ３、および、下面Ｐ４）が貫通孔Ｈを構成する各内壁面（両内壁側面Ｈ１、Ｈ２、内壁上面Ｈ３、および、内壁下面Ｈ４）にそれぞれ当接しつつ貫通孔Ｈに挿入される。つまり、角ピン端子Ｐは貫通孔Ｈに圧入されることになる。
【０００４】
【発明が解決しようとする課題】
しかしながら、角ピン端子Ｐの上面Ｐ３または下面Ｐ４に相手コネクタが有する接触片に電気的に接触する接触部を設けた場合には、圧入によってそれらの接触部が内壁上面Ｈ３または内壁下面Ｈ４に当接して接触部に傷や汚れがつき、良好な接触を確保し難いという問題がある。特に、角ピン端子をメッキしている場合には、圧入によってそれらの接触部のメッキが剥がれて良好な接触を得られないという問題がある。
【０００５】
本発明の課題は、相手コネクタが有する接触片に接触する接触部が側面に設けられている、略矩形の断面を有する角ピン端子をシュラウドなどの部材に形成された貫通孔に挿入しても、その接触部が貫通孔を構成する内壁面に当接しないようにすることによって、挿入の際に、接触部に傷がついたり汚れがついたりすることを防止し、良好な接触を確保できるようにすることにある。また、角ピン端子がメッキされていても、挿入の際に、接触部のメッキが剥がれることを防止し、良好な接触を確保できるようにすることにある。
【０００６】
【課題を解決するための手段】
本発明は、上記課題を解決するために、基板に形成された複数の第１貫通孔に前記基板の一方の面側からそれぞれ挿入されて他方の面側から突出する、略矩形の断面を有する複数の角ピン端子と、それら各角ピン端子を装備するハウジングとを有する基板用コネクタであって、次の構成とした。
【０００７】
前記他方の面側から突出した各角ピン端子の突出部分がそれぞれ挿入される複数の第２貫通孔を有するシュラウドを備えている。前記第２貫通孔が内壁上面、内壁下面、第１内壁側面、および、第２内壁側面によって構成されている。第１内壁側面および第２内壁側面がそれぞれ角ピン端子の一の側面とその反対側の側面に当接して角ピン端子を狭持するように第１内壁側面と第２内壁側面との間隔が設定されている。
【０００８】
角ピン端子の上面または下面の少なくとも一方には、相手コネクタが有する接触片に電気的に接触する接触部が設けられている。前記第２貫通孔には、角ピン端子に設けられた接触部が第２貫通孔の内壁上面または第２貫通孔の内壁下面に接触しないように第２貫通孔に対する角ピン端子の上下方向の移動を規制すると共に、角ピン端子の挿入方向を案内する角ピン端子案内部が設けられている。
【０００９】
本発明によれば、前記第２貫通孔には、角ピン端子に設けられた接触部が第２貫通孔を構成する内壁上面または内壁下面に接触しないように第２貫通孔に対する角ピン端子の上下方向の移動を規制すると共に、角ピン端子の挿入方向を案内する角ピン端子案内部が設けられている。このため、角ピン端子の上面または下面に設けられた接触部が第２貫通孔を構成する内壁上面または内壁下面に当接しないように角ピン端子の挿入方向が案内されることになる。
【００１０】
したがって、挿入の際に、接触部に傷がついたり汚れがついたりすることを防止し、良好な接触を確保することが可能になる。また、角ピン端子がメッキされていても、挿入の際に、接触部のメッキが剥がれることを防止し、良好な接触を確保することが可能になる。
【００１１】
また、本発明によれば、前記第１内壁側面の上端縁と第２内壁側面の上端縁にはそれぞれ、内壁上面を構成する傾斜面が連結され、前記第１内壁側面の下端縁と第２内壁側面の下端縁にはそれぞれ、内壁下面を構成する傾斜面が連結され、これらの傾斜面が前記角ピン端子案内部を構成する。
【００１２】
このようにすれば、角ピン端子は、内壁上面を構成する傾斜面によって上方への移動が規制され、また、内壁下面を構成する傾斜面によって下方への移動が規制される。また、角ピン端子は、それらの傾斜面によって角ピン端子の挿入方向が案内される。このような、第２貫通孔としては、六角形の断面を有する貫通孔とすることが望ましい。このようにすれば、上記の傾斜面を簡易に構成できる。
【００１３】
本発明によるシュラウドは、前記相手コネクタが挿入される開口を有することができる。また、前記相手コネクタは、前記基板とは異なる第１基板に実装されているリセプタクルコネクタとすることができる。このようにすれば、基板間を電気的に接続することが可能になる。
【００１４】
本発明によるハウジングは、前記角ピン端子に接触する接触片を有する他の相手コネクタが挿入される開口を有することができる。また、前記他の相手コネクタは前記基板とは異なる第２基板に実装されているリセプタクルコネクタとすることができる。このようにすれば、基板間を電気的に接続することが可能になる。
【００１５】
【発明の実施の形態】
以下、本発明の実施の形態である基板用コネクタについて図面を参照しながら説明する。
【００１６】
図１は本発明の実施の形態に係る基板用コネクタを基板に装着した状態を示す断面図である。図２は基板用コネクタにシュラウドを装着した状態を示す断面図である。図３は主に基板用コネクタおよびシュラウドに挿入される相手コネクタの断面図である。図４は基板用コネクタの角ピン端子と第２貫通孔との位置関係を説明するための断面図である。
【００１７】
図１に示すように、基板用コネクタ１０は、基板Ｂに形成された複数の第１貫通孔１１・・・に基板Ｂの一方の面Ｂ１側からそれぞれ挿入されて他方の面Ｂ２側から突出する、略矩形の断面を有する複数の角ピン端子１２・・・と、それら各角ピン端子１２・・・を装備するハウジング１３とを有する。
【００１８】
基板用コネクタ１０は、図２に示すように、他方の面Ｂ２側から突出した各角ピン端子１２・・・の突出部分がそれぞれ挿入される複数の第２貫通孔１４・・・を有するシュラウド１５を備えている。これらの第２貫通孔１４・・・は所定の間隔で相互に平行に配置されているため、仮にピン端子１２が曲がっていたとしても第２貫通孔１４・・・に挿入されることによってその曲がりが修正されるようになっている。
【００１９】
第２貫通孔１４・・・は、図４に示すように、第１内壁側面Ｈ１、第２内壁側面Ｈ２、内壁上面Ｈ３、および、内壁下面Ｈ４によって構成されている。
【００２０】
第１内壁側面Ｈ１および第２内壁側面Ｈ２がそれぞれ角ピン端子１２の一の側面Ｐ１とその反対側の側面Ｐ２に当接して角ピン端子１２を狭持するように第１内壁側面Ｈ１と第２内壁側面Ｈ２との間隔が設定されている。つまり、第１内壁側面Ｈ１と第２内壁側面Ｈ２との間隔は、角ピン端子１２の一の側面Ｐ１とその反対側の側面Ｐ２との間隔よりも狭く設定されている。
【００２１】
角ピン端子１２の上面Ｐ３または下面Ｐ４には、相手コネクタ５０が有する接触片５１に電気的に接触する接触部１２ａ、１２ｂが設けられている。これらの接触部１２ａ、１２ｂは、少なくとも一つが設けられていればよい。
【００２２】
第２貫通孔１４には、角ピン端子１２に設けられた接触部１２ａ、１２ｂが第２貫通孔１４の内壁上面Ｈ３または第２貫通孔の内壁下面Ｈ４に接触しないように第２貫通孔１４に対する角ピン端子１２の上下方向の移動を規制すると共に、角ピン端子１２の挿入方向を案内する角ピン端子案内部が設けられている。
【００２３】
第１内壁側面Ｈ１の上端縁と第２内壁側面Ｈ２の上端縁にはそれぞれ、内壁上面Ｈ３を構成する傾斜面Ｈ３ａ、Ｈ３ｂが連結されている。また、第１内壁側面Ｈ１の下端縁と第２内壁側面Ｈ２の下端縁にはそれぞれ、内壁下面Ｈ４を構成する傾斜面Ｈ４ａ、Ｈ４ｂが連結されている。角ピン端子案内部は、これらの傾斜面Ｈ３ａ、Ｈ３ｂ、Ｈ４ａ、Ｈ４ｂによって構成されている。つまり、第２貫通孔１４を六角形の断面を有する貫通孔とすることで、角ピン端子案内部を形成している。
【００２４】
このようにすれば、角ピン端子１２は、内壁上面Ｈ３を構成する傾斜面Ｈ３ａ、Ｈ３ｂによって上方への移動が規制され、また、内壁下面Ｈ４を構成する傾斜面Ｈ４ａ、Ｈ４ｂによって下方への移動が規制される。また、角ピン端子１２は、それらの傾斜面Ｈ３ａ、Ｈ３ｂ、Ｈ４ａ、Ｈ４ｂによって角ピン端子１２の挿入方向が案内されることになる。
【００２５】
したがって、挿入の際に接触部１２ａ、１２ｂに傷がついたり汚れがついたりすることを防止することができ、良好な接触を確保することが可能になる。また、角ピン端子１２をメッキした場合であっても、挿入の際に、接触部のメッキが剥がれることを防止することができ、良好な接触を確保することが可能になる。
【００２６】
シュラウド１５は、相手コネクタ５０が挿入される開口１５ａを有する。シュラウド１５は、上面１５ｂと下面１５ｃと背面部１５ｄとを備え、第２貫通孔１４は背面部１５ｄに形成されている。相手コネクタ５０は、主に、上面１５ｂと下面１５とによって保持される。
【００２７】
相手コネクタ５０は、基板Ｂとは異なる第１基板Ｂ１に実装されているリセプタクルコネクタである。相手コネクタ５０がシュラウド１５が有する開口１５ａに挿入された状態で基板Ｂ１は基板Ｂに対して直角となるため、縦方向の基板配置スペースが少なくて済む。
【００２８】
ハウジング１３は、角ピン端子１３に接触する接触片６１を有する他の相手コネクタ６０が挿入される開口１３ａを有する。ハウジング１３は、上面１３ｂと下面１３ｃと背面部１３ｄとを備えている。各角ピン端子１３は背面部１３ｄに形成された貫通孔に圧入されてハウジング１３に保持されている。相手コネクタ６０は、主に、上面１３ｂと下面１３ｃとによって保持される。
【００２９】
相手コネクタ６０は、基板Ｂとは異なる第２基板Ｂ２に実装されているリセプタクルコネクタである。相手コネクタ６０がハウジング１３が有する開口１３ａに挿入された状態で基板Ｂ２は基板Ｂに対して直角となるため、縦方向の基板配置スペースが少なくて済む。
【００３０】
なお、図６に示すように、第２貫通孔としては、十字形状の断面を有する貫通孔を採用してもよい。この場合、上記シュラウド１５の背面部分１５ｄに相当する別部材を各角ピン端子１２の突出部分に装着するようにする。
【００３１】
【発明の効果】
以上のように、本発明によれば、相手コネクタが有する接触片に接触する接触部が側面に設けられている、略矩形の断面を有する角ピン端子をシュラウドなどの部材に形成された貫通孔に挿入しても、その接触部が貫通孔を構成する内壁面に当接せず、挿入の際に、接触部に傷がついたり汚れがついたりすることを防止でき、良好な接触を確保することが可能になる。また、角ピン端子がメッキされていても、挿入の際に、接触部のメッキが剥がれることを防止しでき、良好な接触を確保することが可能になる。
【図面の簡単な説明】
【図１】本発明の実施の形態に係る基板用コネクタを基板に装着した状態を示す断面図である。
【図２】本発明の実施の形態に係る基板用コネクタにシュラウドを装着した状態を示す断面図である。
【図３】主に、本発明の実施の形態に係る基板用コネクタおよびシュラウドに挿入される相手コネクタを説明するための断面図である。
【図４】本発明の実施の形態に係る基板用コネクタの角ピン端子と第２貫通孔との位置関係を説明するための断面図である。
【図５】本発明の従来例の問題点を説明するための図である。
【図６】本発明の実施の形態に係る基板用コネクタの変形例を示す図である。
【符号の説明】
１０      基板用コネクタ
１１      第１貫通孔
１２      角ピン端子
１３      ハウジング
１４      第２貫通孔
１５      シュラウド
５０      相手コネクタ
５１      接触片
６０      他の相手コネクタ
６１      接触片
Ｐ１      角ピン端子側面
Ｐ２      角ピン端子側面
Ｐ３      角ピン端子上面
Ｐ４      角ピン端子下面
Ｈ１      内壁側面
Ｈ２      内壁側面
Ｈ３      内壁上面
Ｈ３ａ、Ｈ３ｂ    傾斜面（角ピン端子案内部）
Ｈ４      内壁下面
Ｈ４ａ、Ｈ４ｂ    傾斜面（角ピン端子案内部）
【図１】
0004851659.tif 000002
【図２】
0004851659.tif 000003
【図３】
0004851659.tif 000004
【図４】
0004851659.tif 000005
【図５】
0004851659.tif 000006
【図６】
0004851659.tif 000007